(57)【要約】【課題】光源の温度変化に対して所定の色度を維持できる照明装置を提供する。【解決手段】照明装置11は、光源部20、電源部21、温度検出部22および制御部23を備える。光源部20は、光色が異なる複数の光源20a，20b，20cを有し、これら光源20a，20b，20cの光が混光された照明光を出力するとともに、光源20a，20b，20c自体の温度変化に伴って色度、光束が変化する。電源部21は、光源20a，20b，20cを光色毎に調光点灯する。温度検出部22は、光源20a，20b，20cの温度を検出する。制御部23は、温度検出部22で検出される光源20a，20b，20cの温度を取得し、光源20a，20b，20cの温度変化に基づいて、光源20a，20b，20c自体の温度変化に伴う色度変化量よりも小さい色度変化量となるように、電源部21を制御する。【選択図】図１
2019133813.tif 000002
【特許請求の範囲】
【請求項１】
光色が異なる複数の光源を有し、これら光源の光が混光された照明光を出力するとともに、前記光源自体の温度変化に伴って色度、光束が変化する光源部と；
前記光源を光色毎に調光点灯する電源部と；
前記光源の温度を検出する温度検出部と；
前記温度検出部で検出される前記光源の温度を取得し、前記光源の温度変化に基づいて、前記光源自体の温度変化に伴う色度変化量よりも小さい色度変化量となるように、前記電源部を制御する制御部と；
を具備することを特徴とする照明装置。
【請求項２】
前記制御部は、前記光源の温度変化に基づいて、所定の色度の照明光が得られる各光色の前記光源の光束比を選択し、この選択された光束比で各光色の前記光源が点灯するように、前記電源部を制御する
ことを特徴とする請求項１記載の照明装置。
【請求項３】
前記制御部は、前記光源の温度毎に所定の色度の照明光が得られる各光色の前記光源の光束比が対応付けられたテーブルを有し、このテーブルに基づいて前記光源の温度に対応した各光色の前記光源の光束比を選択する
ことを特徴とする請求項２記載の照明装置。
【請求項４】
色度を含む調光信号を出力する制御装置と；
前記制御装置から調光信号を入力し、調光信号の色度に応じた照明光を出力する請求項１ないし３いずれか一記載の照明装置と；
を具備することを特徴とする照明システム。
【発明の詳細な説明】
【技術分野】
【０００１】
本発明の実施形態は、光色が異なる複数の光源を有する照明装置、およびこの照明装置を用いた照明システムに関する。
【背景技術】
【０００２】
従来、光色が異なる複数の光源を有する照明装置では、各光色の光源の光が混光された照明光を出力し、その照明光の光色を任意に調整することが可能となっている。
【０００３】
しかし、光源自体は温度によって色度、光束が変化する特性を有しているものがあるため、光源の点灯時間に伴い光源の温度が変化すると、光源自体の色度、光束が変化し、その結果、照明光の色度が変化し、所定の色度を維持することができない。
【先行技術文献】
【特許文献】
【０００４】
【特許文献１】特開２０１７−１５７５２４号公報
【発明の概要】
【発明が解決しようとする課題】
【０００５】
本発明が解決しようとする課題は、光源の温度変化に対して所定の色度を維持できる照明装置および照明システムを提供することである。
【課題を解決するための手段】
【０００６】
実施形態の照明装置は、光源部、電源部、温度検出部および制御部を備える。光源部は、光色が異なる複数の光源を有し、これら光源の光が混光された照明光を出力するとともに、光源自体の温度変化に伴って色度、光束が変化する。電源部は、光源を光色毎に調光点灯する。温度検出部は、光源の温度を検出する。制御部は、温度検出部で検出される光源の温度を取得し、光源の温度変化に基づいて、光源自体の温度変化に伴う色度変化量よりも小さい色度変化量となるように、電源部を制御する。
【発明の効果】
【０００７】
本発明によれば、光源の温度変化に対して所定の色度を維持することが期待できる。
【図面の簡単な説明】
【０００８】
【図１】一実施形態を示す照明装置を用いた照明システムのブロック図である。
【図２】同上照明装置が備えるテーブルの表である。
【図３】同上照明装置のｘｙ色度図である。
【発明を実施するための形態】
【０００９】
以下、一実施形態を、図面を参照して説明する。
【００１０】
図１に照明システム10を示す。照明システム10は、例えばスタジオや舞台に設置される複数の照明装置11（図１には１つのみを示し、他は省略する）、およびこれら複数の照明装置11を制御する制御卓である制御装置12などを備えている。
【００１１】
複数の照明装置11と制御装置12とは、例えば、ＤＭＸ規格に従った通信プロトコルや、このＤＭＸの拡張機能であるＲＤＭ規格に従った通信プロトコルによって通信可能とする。
【００１２】
そして、制御装置12は、複数の照明装置11を遠隔操作するもので、複数の照明装置11に対して調光信号を出力する。調光信号には、照明装置11毎に設定される固有のアドレス、色度ｘ，ｙや明るさなどの情報が含まれる。
【００１３】
また、照明装置11は、光色が異なる複数の光源20a，20b，20cを有する光源部20、各光色の光源20a，20b，20c毎に調光点灯する電源部21、光源20a，20b，20cの温度を検出する温度検出部22、および電源部21を制御する制御部23などを備えている。
【００１４】
光源部20は、光源20a，20b，20cの各光色の光が混光された照明光を出力する。
【００１５】
光源20a，20b，20cは、例えばＬＥＤや有機ＥＬなどの発光素子が用いられる。光源20a，20b，20cの光色は、例えば、赤色、緑色、青色である。なお、光源20a，20b，20cの光色は、赤色、緑色、青色の３色に限らず、例えば白色やシアン色などを含めた４色以上でもよい。
【００１６】
光源20a，20b，20cは、光源20a，20b，20c自体の温度変化に伴って色度、光束が変化する特性を有している。例えば、光源20a，20b，20cが赤色ＬＥＤ、緑色ＬＥＤ、青色ＬＥＤの場合、温度が高くなるほど、光束が低下し、色度が変化する特性があり、そして、半導体材料の違いに起因して光色毎に光束の低下にばらつきがあり、赤色ＬＥＤの光束の低下が最も顕著となっている。
【００１７】
電源部21は、光源20a，20b，20cを個別に調光点灯する。電源部21は、外部電源である交流電源から供給される交流電圧を整流する整流回路、この整流回路で整流された交流電圧を直流電圧に変換する例えば昇圧チョッパ回路などの力率改善回路、およびこの力率改善回路からの直流電圧を光源20a，20b，20cに供給する所定の直流電圧に変換する例えば降圧チョッパ回路などの駆動回路21a，21b，21cを備えている。少なくとも駆動回路21a，21b，21cは光源20a，20b，20c毎に設けられている。各駆動回路21a，21b，21cは、スイッチング素子を有し、このスイッチング素子のスイッチング動作によって各光源20a，20b，20cに供給する電流を制御し、各光源20a，20b，20cを個別に調光点灯する。
【００１８】
温度検出部22は、例えば、光源20a，20b，20cの電極の温度を検出する。なお、温度検出部22は、光源20a，20b，20cのうちのいずれか１つの温度を検出してもよいし、光源20a，20b，20c毎にそれぞれ温度を検出してもよく、また、光源20a，20b，20cが実装される基板の温度を検出してもよい。
【００１９】
制御部23は、制御装置12から送られてくる調光信号のうち、自己のアドレスの調光信号を受け付け、その調光信号に含まれる色度ｘ，ｙや明るさなどの情報に応じて電源部21を制御する。すなわち、制御部23は、光源20a，20b，20cの各光色の光が混光された照明光の色度が、調光信号で入力された目標（指定）の色度ｘ，ｙとなるように、電源部21を制御する。電源部21の制御は、駆動回路21a，21b，21cのスイッチング素子のスイッチング動作を制御することにより、各光源20a，20b，20cに供給する電流値を調整し、各光源20a，20b，20cを個別に調光する。
【００２０】
さらに、制御部23は、温度検出部22によって検出される光源20a，20b，20cの温度を取得し、光源20a，20b，20cの温度が変化しても、照明光の色度が目標の色度ｘ，ｙを維持するように、電源部21を制御する。
【００２１】
すなわち、制御部23は、光源20a，20b，20cの温度変化に基づいて、光源20a，20b，20c自体の温度変化に伴う照明光の色度変化量よりも小さい色度変化量となるように、電源部21を制御する。
【００２２】
具体的には、制御部23は、光源20a，20b，20cの温度変化に基づいて、所定の色度の照明光が得られる各光色の光源20a，20b，20cの光束比を選択し、この選択された光束比で各光色の光源20a，20b，20cが点灯するように、電源部21を制御する。そのために、制御部23は、光源20a，20b，20cの温度毎に所定の色度の照明光が得られる各光色の光源20a，20b，20cの光束比が対応付けられたテーブル（図２参照）を記憶した記憶部24を有しており、記憶部24のテーブルに基づいて光源20a，20b，20cの温度に対応した各光色の光源20a，20b，20cの光束比を選択する。
【００２３】
なお、図２には、３つの光源20a，20b，20cに対応して、３つの光源(1)、光源(2)、光源(3)を示すが、これら光源(1)、光源(2)、光源(3)の光束比は説明のための例示であって光源20a，20b，20cの光色に対応した光束比ではない。また、光束比については、光源20a，20b，20cの温度がいずれにあっても、光源(1)、光源(2)、光源(3)の合計は１００％となる。さらに、色度については、光源20a，20b，20cの温度がいずれにあっても、x1＝x2＝x3＝xt、y1＝y2＝y3＝ytの関係となることが好ましい。
【００２４】
そして、照明装置11の動作を説明する。
【００２５】
照明装置11の制御部23は、制御装置12から送られてくる調光信号のうち、自己のアドレスの調光信号を受け付け、その調光信号に含まれる色度ｘ，ｙや明るさなどの情報に応じて電源部21を制御する。
【００２６】
すなわち、制御部23は、光源20a，20b，20cの各光色の光が混光された照明光の色度が、調光信号で入力された目標の色度ｘ，ｙとなるように、電源部21を制御する。電源部21の制御は、駆動回路21a，21b，21cのスイッチング素子のスイッチング動作を制御することにより、各光源20a，20b，20cに供給する電流値を調整し、各光源20a，20b，20cを個別に調光する。
【００２７】
また、制御部23は、温度検出部22によって検出される光源20a，20b，20cの温度を取得し、光源20a，20b，20cの温度変化を監視する。
【００２８】
例えば、光源20a，20b，20cの点灯開始後から時間経過と共に光源20a，20b，20cの温度が上昇する。光源20a，20b，20cの温度が変化すると、各光源20a，20b，20cの色度が変化し、光源20a，20b，20cの各光色の光が混光された照明光の色度も変化する。
【００２９】
図３のｘｙ色度図に示すように、調光信号で入力された目標の色度ｘ，ｙに応じて、光源20a，20b，20cの各光色の光が混光された照明光の色度がP1に制御されているとした場合、制御部23で制御の補正をしなければ、光源20a，20b，20c自体の温度変化に伴って照明光の色度がP2に移行することになる。このP1からP2への移行が光源20a，20b，20c自体の温度変化に伴う照明光の色度変化量ΔＰとなる。
【００３０】
制御部23は、光源20a，20b，20cの温度変化を確認すると、光源20a，20b，20c自体の温度変化に伴う照明光の色度変化量ΔＰよりも小さい色度変化量となるように、電源部21を制御する。この光源20a，20b，20c自体の温度変化に伴う色度変化量ΔＰよりも小さい色度変化量は、０の場合も含まれ、つまり、光源20a，20b，20cが温度変化しても、一定の色度が維持される場合も含まれる。
【００３１】
制御部23は、図２に示す記憶部24のテーブルを参照し、光源20a，20b，20cの温度から各光色の光源20a，20b，20cの光束比（光源(1)、光源(2)、光源(3)の光束比）を選択する。例えば、光源20a，20b，20cの温度変化前には、光源20a，20b，20cの温度が２５℃であった場合に選択されていた光源20a，20b，20cの光束比（光源(1)の光束比＝１０％、光源(2)の光束比＝３０％、光源(3)の光束比＝６０％）から、光源20a，20b，20cの温度が３０℃に変化した場合に選択される光源20a，20b，20cの光束比（光源(1)の光束比＝１１％、光源(2)の光束比＝３１％、光源(3)の光束比＝５８％）に変更する。
【００３２】
なお、各光色の光源20a，20b，20cの光束比は、図２に示す記憶部24のテーブルの参照に限らず、制御部23による演算によって求めてもよい。
【００３３】
そして、制御部23は、光源20a，20b，20cの温度変化に基づいて、選択した光束比で各光色の光源20a，20b，20cが点灯するように、電源部21を制御する。
【００３４】
本実施形態の照明装置11によれば、制御部23は、光源20a，20b，20cの温度変化に基づいて、光源20a，20b，20c自体の温度変化に伴う照明光の色度変化量よりも小さい色度変化量となるように、電源部21を制御するため、光源20a，20b，20cの温度が変化しても、照明光の色度を維持できる。そして、照明光の色度を維持することにより、同時に照明光の光束も維持できる。
【００３５】
また、制御部23は、光源20a，20b，20cの温度変化に基づいて、所定の色度の照明光が得られる各光色の光源20a，20b，20cの光束比を選択し、この選択された光束比で各光色の光源20a，20b，20cが点灯するように、電源部21を制御するため、光源20a，20b，20cの温度が変化しても、照明光の色度を維持できる。
【００３６】
さらに、制御部23は、光源20a，20b，20cの温度毎に所定の色度の照明光が得られる各光色の光源20a，20b，20cの光束比が対応付けられたテーブルを記憶した記憶部24を有しており、記憶部24のテーブルに基づいて光源20a，20b，20cの温度に対応した各光色の光源20a，20b，20cの光束比を選択するため、制御部23の処理を簡略化できる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
10    照明システム
11    照明装置
12    制御装置
20    光源部
20a，20b，20c   光源
21    電源部
22    温度検出部
23    制御部
【図１】
2019133813.tif 000003
【図２】
2019133813.tif 000004
【図３】
2019133813.tif 000005